(57)【要約】【課題】面状光源を円形に近似させることができるとともに、照射面にむらや色むらの発生も抑制でき、しかも全消灯を防止できる照明装置を提供することである。【解決手段】面状光源２４は、複数のＬＥＤチップ２５が異なる矩形に配列されたＬＥＤチップグループ３１を複数組み合わせて円形近似して平面的に配設され、面状光源２４からの光を内部が反射特性を有した筒状光路２６に導光し、筒状光路２６から出射される光を投影レンズ２２で照射光を制御して投影し、投影レンズ２２と筒状光路２６との間に配置されたカッターユニット２７により筒状光路２６から出射される光の形状を制御する。【選択図】  図１
2010192394.tif 000002
【特許請求の範囲】
【請求項１】
複数のＬＥＤチップが異なる矩形に配列されたＬＥＤチップグループを複数組み合わせて円形近似して平面的に配設された面状光源と；
内部が反射特性を有し前記面状光源からの光を導光する筒状光路と；
前記筒状光路から出射される光を投影し照射光を制御するための投影レンズと；
前記投影レンズと前記筒状光路との間に配置され前記筒状光路から出射される光の形状を制御するカッターユニットと；
を備えたことを特徴とする照明装置。
【請求項２】
前記面状光源は、矩形短辺の長さが同じで、矩形長辺の長さが異なる最長グループ、中間グループ、最短グループの３種類のＬＥＤチップグループを組み合わせて形成されたことを特徴とする請求項１記載の照明装置。
【請求項３】
前記面状光源は、矩形短辺の長さが同じで、矩形長辺の長さが異なる最長グループ、長中間グループ、短中間グループ、最短グループの４種類のＬＥＤチップグループを組み合わせて形成されたことを特徴とする請求項１記載の照明装置。
【請求項４】
最長グループの矩形長辺の長さは、最短グループの矩形長辺の長さの１．１倍〜２．５倍としたことを特徴とする請求項２または３記載の照明装置。
【請求項５】
前記ＬＥＤチップグループ毎に点灯回路を個別に設けたことを特徴とする請求項１乃至４のいずれか一記載の照明装置。
【発明の詳細な説明】
【技術分野】
【０００１】
本発明は、光源として発光ダイオードを用いた照明装置に関する。
【背景技術】
【０００２】
一般に、劇場やテレビスタジオ等の照明用に使用される照明装置としてスポットライトがある。このスポットライトの光源には、ハロゲン電球や放電ランプが使用されている。また、光源として発光ダイオード（以下、ＬＥＤという）を用いたスポットライトも開発されている。曲面に多数のＬＥＤを光源として配置し、各ＬＥＤの照射ビームを一点に集光させて仮想の単一点光源ユニットを構成し、この光源ユニットとレンズとの位置関係を可変にして被照射面の照度及び照度分布を変化させるようにしたスポットライトがある（例えば、特許文献１参照）。
【０００３】
また、所望の色を得るために白色以外に補色として青緑、橙、赤などの光と混色させ、各ＬＥＤの照射ビームを集中させた投光開口の輪郭（エッジ）をぼかすとともに色むらを抑制するために拡散フィルタを設けたり、フォーカスハンドル及びズームハンドルを設けて、ピントが合っていないところやぼかした場合でも照射ずれが生じないようにしたものがある（例えば、特許文献２参照）。
【０００４】
図７は従来のＬＥＤを光源とする照明装置の構成図である。照明装置は、光源ユニット１１と投影ユニット１２とから構成され、光源ユニット１１はＬＥＤ光源部１３を収納した光源部筐体１４と、ＬＥＤ光源部１３の発熱を放熱するための放熱器１５とから構成される。光源部筐体１４には疑似光源部となるアパーチャ１６が形成され、ＬＥＤ光源部１３は、そのアパーチャ１６に光ビームが向くように複数個のＬＥＤ１７を配置して構成されている。これにより、ＬＥＤ光源部１３の複数のＬＥＤ１７からの光の集光点がアパーチャ１６の位置となり、これによりアパーチャ１６で疑似光源を形成している。
【０００５】
また、ＬＥＤ光源部１３に点灯電源を供給する電源ユニット１８やＬＥＤ光源部１３を点灯制御する制御回路ユニット１９は、光源部筐体１４の両側面に分散して配置され、照明装置の点灯操作を行う操作ユニット２０は光源部筐体１４の側面に設けられている。また、アパーチャ１６にはカッターユニット２１が設けられ、このカッターユニット２１を操作することによりアパーチャ１６の形状、つまり疑似光源の形状を変化させることができるようになっている。
【０００６】
一方、投影ユニット１２には、光源ユニット１１からの光を集光して外部に出射する投影レンズ２２ａ、２２ｂが設けられ、調整ハンドル２３ａ、２３ｂで位置調整されて外部に光が照射される。
【先行技術文献】
【特許文献】
【０００７】
【特許文献１】特開２００１−３０７５０２号公報
【特許文献２】特開２００５−１５８６９９号公報
【発明の概要】
【発明が解決しようとする課題】
【０００８】
しかし、ＬＥＤ光源部１３を純粋な面発光にするにはＬＥＤを狭ピッチで並べなければならないが、既存のＳＭＤ（Surface Mount Device）タイプのＬＥＤを用いる場合には、ＬＥＤを狭ピッチで並べることができず、照射面にむらが発生してしまう。さらには、既存のＳＭＤタイプのＬＥＤを用いる場合、演色性を高めようとすると白色以外に赤色や青色や緑色等の単色ＬＥＤも必要となり、これら補色用のＬＥＤによる照射面に色むらが発生してしまう。特に、ＬＥＤの前面にカッターユニットのカッターを挿入することにより照射光の調整をする場合、補色用のＬＥＤがカッターユニットで遮られると色ずれも発生する。
【０００９】
一方、ＬＥＤ光源部１３をＣＯＢ（Chip on Board）タイプのＬＥＤモジュールからなる面状光源とするには、実装機の動作能力の関係で複数のＬＥＤチップをマトリックス状に実装して矩形配列されているため、ほとんどは矩形状の発光面を有するものである。従来のような円形の発光面を得るには、所望の円形にＬＥＤモジュールを外接させることになるので、一部のＬＥＤがはみ出すことになって光損失が大きい。一方、これを避けるために、矩形のＬＥＤモジュールを所望の円形に内接させることになるが、その場合には、所望の円形内でＬＥＤが存在しない部分が発生し、所望の円形内で発光していない部分が生じる。
【００１０】
また、ＬＥＤチップを円形状の実装することも考えられるが、ＬＥＤチップの使用量が多いと実装機のメモリに円形に沿った実装パターンを記憶させるのが困難であり、動作複雑となって実装スピードが遅くなるから好ましくない。
【００１１】
本発明の目的は、面状光源を円形に近似させることができるとともに、照射面にむらや色むらの発生も抑制でき、しかも全消灯を防止できる照明装置を提供することである。
【課題を解決するための手段】
【００１２】
請求項１の発明に係わる照明装置は、複数のＬＥＤチップが異なる矩形に配列されたＬＥＤチップグループを複数組み合わせて円形近似して平面的に配設された面状光源と；内部が反射特性を有し前記面状光源からの光を導光する筒状光路と；前記筒状光路から出射される光を投影し照射光を制御するための投影レンズと；前記投影レンズと前記筒状光路との間に配置され前記筒状光路から出射される光の形状を制御するカッターユニットと；を備えたことを特徴とする。
【００１３】
本発明及び以下の発明において、特に指定しない限り用語の定義及び技術的意味は以下による。
【００１４】
ＬＥＤチップとは半導体発光素子であるＬＥＤの発光部をいう。ＬＥＤチップグループとは、複数のＬＥＤチップが矩形に配列されたＬＥＤチップの集合体をいう。異なる矩形とは、矩形短辺の長さまたは矩形長辺の長さが異なる長方形をいい、これらを組み合わせたときの集合体の外縁がなす輪郭形状が略円形に近似する形状が望ましい。例えば、矩形短辺の長さは同じで矩形長辺の長さが異なる形状をいう。面状光源とは、例えば平面の基板表面上に異なる矩形に配列された複数のＬＥＤチップグループが円形近似して平面的に配設されて形成された光源をいう。
【００１５】
面状光源を構成するＬＥＤチップグループのＬＥＤチップが発光した光を透過する前面側には、演色性の高い白色を実現するための蛍光体を設けることが好ましい。これによれば、面状光源のＬＥＤチップの光を透過して太陽光に近い白色を出射することができる。
【００１６】
筒状光路とは、面状光源からの光を導光する光路をいう。筒状光路の内部には反射手段が設けられており、この反射手段の反射特性により、面状光源の出射光のほとんどを筒状光路の開口端部から出射する。これにより、筒状光路の出射光の明るさは面状光源の出射光の明るさとほぼ等しくなり、筒状光路の開口端部には擬似的な面状光源が配設されていることとなる。なお、反射手段の反射面としては、鏡面状の反射面の他、拡散反射面であってもよい。
【００１７】
投影レンズとは、筒状光路から出射される光を制御するレンズをいう。レンズは１個以上からなる複数レンズの組合せも含む。投影レンズの位置を調整することにより、例えば、筒状光路から出射される光を、拡大、縮小、フォーカシングさせて外部に照射する。
【００１８】
カッターユニットとは、筒状光路から出射される光の形状を制御するものをいい、例えば、カッターユニットは、筒状光路から出射される光の形状をカッターにより遮り、丸、四角、三角などの任意の形状に制御する。
【００１９】
請求項２の発明に係わる照明装置は、請求項１の発明において、前記面状光源は、矩形短辺の長さが同じで、矩形長辺の長さが異なる最長グループ、中間グループ、最短グループの３種類のＬＥＤチップグループを組み合わせて形成されたことを特徴とする。
【００２０】
最長グループとは、円形に組み合わせたＬＥＤチップグループのうち矩形長辺の長さが最長のＬＥＤチップグループをいい、最短グループとは、円形に組み合わせたＬＥＤチップグループのうち矩形長辺の長さが最短のＬＥＤチップグループをいう。中間グループとは、円形に組み合わせたＬＥＤチップグループのうち、矩形長辺の長さが最長グループと最短グループとの中間の長さのＬＥＤチップグループをいう。
【００２１】
請求項３の発明に係わる照明装置は、請求項１の発明において、前記面状光源は、矩形短辺の長さが同じで、矩形長辺の長さが異なる最長グループ、長中間グループ、短中間グループ、最短グループの４種類のＬＥＤチップグループを組み合わせて形成されたことを特徴とする。
【００２２】
長中間グループとは、矩形長辺の長さが最長グループと最短グループとの中間の長さのＬＥＤチップグループのうち、短中間グループより長いＬＥＤチップグループをいい、短中間グループとは、矩形長辺の長さが最長グループと最短グループとの中間の長さのＬＥＤチップグループのうち、長中間グループより短いＬＥＤチップグループをいう。
【００２３】
請求項４の発明に係わる照明装置は、請求項２または３の発明において、最長グループの矩形長辺の長さは、最短グループの矩形長辺の長さの１．１倍〜２．２倍としたことを特徴とする。
【００２４】
本発明は、最長グループの矩形長辺の長さと最短グループの矩形長辺の長さとの比は、実用的には、１．１倍〜２．５倍、好ましくは、１．２５倍〜２．２倍であることが望ましいので、それを特定したものである。
【００２５】
請求項５の発明に係わる照明装置は、請求項１乃至４のいずれか一の発明において、前記ＬＥＤチップグループ毎に点灯回路を個別に設けたことを特徴とする。
【００２６】
点灯回路とは、ＬＥＤチップグループ毎に点灯電源を供給する回路をいう。これにより、ＬＥＤチップグループ毎に点灯電源が個別に供給されることになる。
【発明の効果】
【００２７】
請求項１の発明によれば、面状光源は複数のＬＥＤチップが異なる矩形に配列されたＬＥＤチップグループを複数組み合わせて円形に近似して配列するので、所望の円形にＬＥＤチップグループを外接させた場合には、円形からはみ出すＬＥＤチップを少なくでき、一方、所望の円形にＬＥＤチップグループを内接させた場合には、円形内でＬＥＤが存在しない部分を少なくでき、光損失を極力少なくして、照射面にむらが生じることを抑制できる。従って、照射面のむらを抑制できるとともに所望の円形に近似した面状光源を得ることができる。
【００２８】
請求項２の発明によれば、矩形短辺の長さが同じで、矩形長辺の長さが異なる最長グループ、中間グループ、最短グループの３種類のＬＥＤチップグループを組み合わせて面状光源を形成するので、異なる矩形のＬＥＤチップグループを３種類にすることができ、ＬＥＤチップグループの標準化を図ることができる。
【００２９】
請求項３の発明によれば、異なる矩形のＬＥＤチップグループが４種類となるが、円形に組み合わせる場合の自由度が増すので、より所望の円形に近似した面状光源を得ることができる。
【００３０】
請求項４の発明によれば、最長グループの矩形長辺の長さと最短グループの矩形長辺の長さとの比を、１．１倍〜２．５倍とするので、実用的に所望の円形に近似した面状光源を得ることができる。
【００３１】
請求項５の発明によれば、ＬＥＤチップグループ毎に点灯回路を個別に設けたので、点灯回路に異常が発生した場合でも、他の点灯回路が正常に動作を続ける。これによって、面状光源のすべてのＬＥＤチップグループが全消灯してしまうことを防止できる。
【図面の簡単な説明】
【００３２】
【図１】本発明の実施の形態に係わる照明装置の構成図。
【図２】本発明の実施の形態に係わる照明装置の面状光源の実施例１を示す平面図。
【図３】図２に示した面状光源を構成する異なる矩形に配列された３種類のＬＥＤチップグループの平面図。
【図４】本発明の実施の形態に係わる照明装置の面状光源の実施例２を示す平面図。
【図５】本発明の実施の形態に係わる照明装置の面状光源の実施例３を示す平面図。
【図６】図５に示した面状光源を構成する異なる矩形に配列された４種類のＬＥＤチップグループの平面図
【図７】従来のＬＥＤを光源とする照明装置の構成図。
【発明を実施するための形態】
【００３３】
図１は本発明の実施の形態に係わる照明装置の構成図である。本発明の実施の形態に係わる照明装置は、図５に示した従来例に対し、光源ユニット１１のＬＥＤ光源部１３を面状光源２４とし、面状光源２４に点灯電源を供給する電源ユニット１８及び面状光源２４を点灯制御する制御回路ユニット１９を光源ユニット１１の光源部筐体１４の両側面に設けるとともに、面状光源２４の点灯操作を行う操作ユニット２０を電源ユニット１８の反対側側面に設けたものである。
【００３４】
図１に示すように、光源ユニット１１の面状光源２４は複数個のＬＥＤチップ２５が平面的に配列され光を出射する。面状光源２４は、複数のＬＥＤチップ２５が異なる矩形に配列されたＬＥＤチップグループを複数組み合わせて円形近似して平面的に配設して形成されている。この面状光源２４の詳細については後述する。
【００３５】
面状光源２４の背面は放熱器１５に直接的に取り付けられ、面状光源２４での発熱は、放熱器１５の放熱フィン１６から放熱される。また、面状光源２４に近接して筒状光路２６が設けられており、この筒状光路２６は、面状光源２４のＬＥＤチップ２５の光を投影ユニット１２に導光する。筒状光路２６の内面には、鏡面状の反射特性を有する反射手段が設けられている。
【００３６】
そして、筒状光路２６と投影ユニット１２との間の位置であって筒状光路２６の開口端部近傍にはカッターユニット２７が設けられる。このため、カッターユニット２７には面状光源２４から出射された光のほとんどが到達することになり、光漏れや光損失が抑制されて効率が向上する。
【００３７】
このカッターユニット２７により、筒状光路２６から出射される光の形状が制御され、カッターユニット２７で光の形状が制御された光は、投影ユニット１２の拡散シート２８を介して投影レンズ２２ａ、２２ｂに出射される。投影レンズ２２ａ、２２ｂは、カッターユニット２７を通った光を、拡大、縮小、フォーカシングさせて外部に照射する。拡散シート２８はカッターユニット２７でカットした光の形状のエッジ部分をぼかすために設けられている。光の形状のエッジ部分を鮮明にする場合には拡散シート２８を設ける必要はない。
【００３８】
また、光源ユニット１１は投影ユニット１２に支持棒２９により着脱可能に取り付けられるように形成されている。支持棒２９は投影ユニット１２に差し込み式にて着脱可能に取り付けられる。
【００３９】
図２は面状光源２４の実施例１を示す平面図である。面状光源２４は、平板状の基板表面に銅箔で配線をプリントして形成されたプリント基板３０に複数個のＬＥＤチップ２５が取り付けられて構成される。
【００４０】
複数個のＬＥＤチップ２５は、複数のＬＥＤチップグループ３１にグループ分けされて配置されている。図２では、１０個のＬＥＤチップグループ３１ａ〜３１ｈにグループ分けされた場合を示している。各々のＬＥＤチップグループ３１ａ〜３１ｈは、それぞれ個別に電源端子３２ａ〜３２ｊを有し、この電源端子３２ａ〜３２ｊに点灯回路が接続され、この電源端子３２ａ〜３２ｊから各々のＬＥＤチップグループ３１ａ〜３１ｈのＬＥＤチップ２５を点灯するための点灯の電源が供給される。このように、各々のＬＥＤチップグループ３１ａ〜３１ｈは電気的に独立している。
【００４１】
ＬＥＤチップグループ３１ａ〜３１ｈは、複数のＬＥＤチップが矩形に配列されて形成され、複数のＬＥＤチップの配列が異なる矩形に配列された３種類のＬＥＤチップグループ３１を有している。ＬＥＤチップ２５の配置間隔は、いずれのＬＥＤチップグループ３１においても、例えば、０．５ｍｍ〜２ｍｍピッチで配置されている。このピッチを０．５ｍｍ未満とすると実装機による自動化が困難となり、２．０ｍｍを超えるとスポットライトの照射パターンにおける輝度むらが目立ち始める。
【００４２】
各々のＬＥＤチップグループ３１ａ〜３１ｈは、矩形短辺の長さが同じであり、この短辺方向には７個のＬＥＤチップが直列接続され、この直列接続の回路がグループ単位で並列接続されている。従って、各グループの点灯電圧は直列接続回路の電圧で一定化されることとなり、電源の設計が容易となる。面状光源２４の中央部のＬＥＤチップグループ３１ｃ、３１ｈは、矩形長辺の長さが最長である最長グループであり、面状光源２４の端部のＬＥＤチップグループ３１ａ、３１ｅ、３１ｆ、３１ｊは、矩形長辺の長さが最短である最短グループである。そして、最長グループのＬＥＤチップグループ３１ｃ、３１ｈ及び最短グループのＬＥＤチップグループ３１ａ、３１ｅ、３１ｆ、３１ｊに挟まれて配置されたＬＥＤチップグループ３１ｂ、３１ｄ、３１ｇ、３１ｉは、矩形長辺の長さが中間長の中間グループである。
【００４３】
面状光源２４は、これら３種類のＬＥＤチップグループ３１が組み合わされて、円形近似するように配置されている。図２では、理想とする円形状３３にＬＥＤチップグループ３１を外接させて配置した場合を示している。この円形状３３は、筒状光路２６の開口端の形状に略近似するものである。面状光源２４の端部には最短グループのＬＥＤチップグループ３１ａ、３１ｅ、３１ｆ、３１ｊを配置しているので、円形状３３からはみ出すＬＥＤチップ２５の数を少なくすることができる。
【００４４】
図３は、図２に示した面状光源２４を構成する異なる矩形に配列された３種類のＬＥＤチップグループ３１の平面図である。図３（ａ）は矩形長辺の長さが最も短い最短グループのＬＥＤチップグループ３１ｃ、３１ｈのＬＥＤチップ２５の配列の平面図、図３（ｂ）は矩形長辺の長さが中間長の中間グループのＬＥＤチップグループ３１ｂ、３１ｄ、３１ｇ、３１ｉのＬＥＤチップ２５の配列の平面図、図３（ｃ）は矩形長辺の長さが最短長の最短グループのＬＥＤチップグループ３１ａ、３１ｅ、３１ｆ、３１ｊのＬＥＤチップ２５の配列の平面図である。
【００４５】
最長グループの矩形長辺の長さＬ１は、最短グループの矩形長辺の長さＬ３の約１．４倍で形成されている。また、最長グループの矩形長辺の長さＬ１は、中間グループの矩形長辺の長さＬ２に対しては約１．０４倍で形成されている。つまり、中間グループの矩形長辺の長さＬ２は、最短グループの矩形長辺の長さＬ３の約１．３倍で形成されている。
【００４６】
図４は面状光源２４の実施例２を示す平面図である。この実施例２は図２に示した実施例１に対し、最長グループの矩形長辺の長さＬ１を最短グループの矩形長辺の長さＬ３の約１．１倍に形成したものである。図２と同一要素には同一符号を付し重複する説明は省略する。
【００４７】
図４に示すように、最長グループの矩形長辺の長さＬ１を最短グループの矩形長辺の長さＬ３の約１．１倍に形成したことから、面状光源２４の端部に配置した最短グループのＬＥＤチップグループ３１ａ、３１ｅ、３１ｆ、３１ｊの円形状３３からはみ出すＬＥＤチップ２５の数は、実施例１の場合よりも多くなるが、各々のＬＥＤチップグループ３１ａ〜３１ｈの電源端子３２ａ〜３２ｊから供給する点灯用電源を標準化できる。すなわち、最長グループの矩形長辺の長さＬ１が最短グループの矩形長辺の長さＬ３の約１．１倍であることから、最長グループのＬＥＤチップ２５の数と最短グループのＬＥＤチップ２５の数との比も約１．１倍となり、同じ定格の点灯用電源を使用しても、ＬＥＤチップ２５に供給する電流はほぼ同じとすることができる。
【００４８】
図５は面状光源２４の実施例３を示す平面図である。この実施例３は図２に示した実施例１に対し、３種類のＬＥＤチップグループ３１に代えて、４種類のＬＥＤチップグループ３１を用い、また、最長グループの矩形長辺の長さＬ１を最短グループの矩形長辺の長さＬ４の約２．５倍に形成したものである。図２と同一要素には同一符号を付し重複する説明は省略する。
【００４９】
ＬＥＤチップグループ３１ａ〜３１ｈは、４種類のＬＥＤチップグループ３１を有している。面状光源２４の中央部のＬＥＤチップグループ３１ｃ、３１ｈは、矩形長辺の長さが最長である最長グループであり、面状光源２４の端部のＬＥＤチップグループ３１ａ、３１ｅ、３１ｆ、３１ｊは、矩形長辺の長さが最短である最短グループである。そして、最長グループのＬＥＤチップグループ３１ｃ、３１ｈ及び最短グループのＬＥＤチップグループ３１ａ、３１ｇに挟まれて配置されたＬＥＤチップグループ３１ｂ、３１ｄは、矩形長辺の長さが短中間長の短中間グループであり、最長グループのＬＥＤチップグループ３１ｃ、３１ｈ及び最短グループのＬＥＤチップグループ３１ｅ、３１ｊに挟まれて配置されたＬＥＤチップグループ３１ｇ、３１ｉは、矩形長辺の長さが長中間長の長中間グループである。
【００５０】
面状光源２４は、これら４種類のＬＥＤチップグループ３１が組み合わされて、円形近似するように配置されている。図５では、理想とする円形状３３にＬＥＤチップグループ３１を外接または内接させて配置した場合を示している。従って、円形状３３からはみ出すＬＥＤチップ２５と、円形状３３内でＬＥＤチップ２５が存在しない部分とが発生しているが、全体としては円形状３３に近似できる。
【００５１】
図６は、図５に示した面状光源２４を構成する異なる矩形に配列されたＬＥＤチップグループ３１の平面図である。図６（ａ）は最長グループのＬＥＤチップグループ３１ｃ、３１ｈのＬＥＤチップ２５の配列の平面図、図６（ｂ）は長中間グループのＬＥＤチップグループ３１ｄ、３１ｉのＬＥＤチップ２５の配列の平面図、図６（ｃ）は短中間グループのＬＥＤチップグループ３１ｂ、３１ｇのＬＥＤチップ２５の配列の平面図、図６（ｄ）は最短グループのＬＥＤチップグループ３１ａ、３１ｅ、３１ｆ、３１ｊのＬＥＤチップ２５の配列の平面図である。
【００５２】
最長グループの矩形長辺の長さＬ１は、最短グループの矩形長辺の長さＬ４の約２．２倍で形成されている。また、最長グループの矩形長辺の長さＬ１は、長中間グループの矩形長辺の長さＬ２に対しては約１．０５倍で形成され、最長グループの矩形長辺の長さＬ１は、短中間グループの矩形長辺の長さＬ３に対しては約１．４倍で形成されている。
【００５３】
このように、実施例１乃至実施例３の各々の面状光源２４の最長グループの矩形長辺の長さと最短グループの矩形長辺の長さとの比は、面状光源２４を実用的な円形近似するためには、１．１倍〜２．５倍の範囲であることが望ましい。
【００５４】
また、実施例１乃至実施例３の各々の面状光源２４の前面には、演色性の高い白色を実現するための蛍光体を設けるようにしてもよい。すなわち、面状光源２４を構成する各々のＬＥＤチップグループ３１のＬＥＤチップ２５の前面に蛍光体を設ける。蛍光体は、ＬＥＤチップ２５の光を透過して各色の波長をほぼ均等に持つ光を出射する材質のものを使用する。
【００５５】
これにより、面状光源２４のＬＥＤチップ２５の光を透過して太陽光に近い白色を出射できるので、面状光源２４からの出射光は色むらや色ずれがほとんどない良好な白色光を出射できる。従って、筒状光路２６に面状光源２４からの光を拡散させる拡散フィルタ２７を設ける必要がなくなる。さらには、面状光源２４の前面のカッターユニットのカッターを挿入することにより照射光の調整をする場合、補色用のＬＥＤがカッターユニットで遮られることがないので色ずれが発生することがない。
【００５６】
本発明の実施の形態によれば、面状光源２４は複数のＬＥＤチップ２５が異なる矩形に配列されたＬＥＤチップグループ３１を複数組み合わせるので、円形近似した面状光源２４を得ることができる。また、面状光源２４を構成するＬＥＤチップグループ３１は複数のＬＥＤチップ２５を
矩形状に０．５〜２．０ｍｍのピッチ間隔で実装して配列しているので、ＬＥＤチップ２５を実装機により狭ピッチで並べることが可能となり照射面にむらが生じることを抑制できる。従って、照射面のむらを抑制できるとともに所望の円形に近似した面状光源を得ることができる。
【００５７】
また、面状光源２４の前面に演色性の高い白色を実現するための蛍光体を設けたので、色むらを抑制できるとともに太陽光に近い白色を得ることができる。これにより、ＬＥＤの前面にカッターユニットを挿入した場合であっても色ずれが生じることを抑制できる。さらには、ＬＥＤチップグループ毎に点灯回路を個別に設けたので、特定の点灯回路に異常が発生して点灯出力が停止した場合であっても面状光源２４のすべてのＬＥＤチップグループが全消灯してしまうことを防止できる。
【符号の説明】
【００５８】
１１…光源ユニット、１２…投影ユニット、１３…ＬＥＤ光源部、１４…光源部筐体、１５…放熱器、１６…放熱フィン、１７…ＬＥＤ、１８…電源ユニット、１９…制御回路ユニット、２０…操作ユニット、２１…カッターユニット、２２…投影レンズ、２３…調整ハンドル、２４…面状光源、２５…ＬＥＤチップ、２６…筒状光路、２７…カッターユニット、２８…拡散シート、２９…支持棒、３０…プリント基板、３１…ＬＥＤチップグループ、３２…電源端子、３３…円形状
【図１】
2010192394.tif 000003
【図２】
2010192394.tif 000004
【図３】
2010192394.tif 000005
【図４】
2010192394.tif 000006
【図５】
2010192394.tif 000007
【図６】
2010192394.tif 000008
【図７】
2010192394.tif 000009